(57)【特許請求の範囲】
【請求項１】
台座（１）と、
該台座（１）の面上に一対の板材で開き幅をもって形成したスペース枠（２）と、
該スペース枠（２）内に変形可能な弾発力のある部材で中空状に形成されて収められ、その反発復元力が前記スペース枠（２）の両側に向かって押圧する圧力部材（３）と、
から成り、
前記スペース枠（２）に長さ延長材（７）を備え、前記スペース枠（２）の内側面と前記圧力部材（３）との間の隙間に差し込んだ物品類（４）を抜き差しすることを特徴とする物品類の差立て支持具。
【請求項２】
台座（１）の裏面側に取付け手段（１ａ）を設け、その台座（１）の面上に沿ってスペース枠（２）を平行に備えたことを特徴とする請求項１に記載の物品類の差立て支持具。
【請求項３】
圧力部材（３）の一部（３a）側をスペース枠（２）内の奥側に連結留め材（５）で固定したことを特徴とする請求項１乃至請求項２いずれかに記載の物品類の差立て支持具。
【請求項４】
圧力部材（３）の一部（３a）側を切り落して略Ｕ字形の湾曲断面とし、その切り落した側をスペース枠（２）内の奥側に連結留め材（５）で固定したことを特徴とする請求項１乃至請求項２いずれかに記載の物品類の差立て支持具。
【請求項５】
スペース枠（２）と台座（１）との間に、前記スペース枠（２）の下端部を支点として回動可能に連結する回動連結部（６）を形成したことを特徴とする請求項１乃至請求項４いずれかに記載の物品類の差立て支持具。
【請求項６】
裏面側に取付け手段（８ｂ）を備えた立面取付け板（８）の面上にスライドガイド（８ａ）を形成し、請求項１乃至請求項４いずれかに記載の物品類の差立て支持具をスライド可能に備えたことを特徴とする物品類の差立て支持具。
【発明の詳細な説明】
【技術分野】
【０００１】
本発明は、シート状物等の物品類を抜き差し自在に差立て支持ができる物品類の差立て支持具であって、ＯＡ原稿台のスタンド型などとしても利用でき、そして、机上などの平面上や壁面などの立面上で、シート状物などの物品類をスペース枠の開き幅内で数十枚まで任意の枚数で抜き差し自在に差立て支持ができ、また、数十ミリまでの厚さの物品類を任意の厚さで抜き差し自在に差立て支持ができる物品類の差立て支持具に関する。
【背景技術】
【０００２】
従来の本立て型に類する差立て支持具では、例えば、帳票類やパンフレットやカタログなどのシート状物等の物品類を差立てした際に、差立て仕切り枠の間隔が空き過ぎていると差立て物が倒れ込んでしまうことなどの問題があるものになっている。
そのため、これらの問題に対して、例えば特許文献（１）に記載された「本立ての自在仕切り」の提案がなされているが、しかし、この提案においては、差立てするシート状物等の厚さに対応して仕切りの間隔をいちいち手で動かして間隔調整をしなければならないので非常に面倒であることなどの問題があるものになっている。
【０００３】
また、従来の商品の一例として、例えば図１１に示すように「ＯＡ原稿台の卓上スタンド型」や、「スタンド式用紙ホルダー」などの商品があるが、これらのものについては、挟持手段が従来のクリップなどの留め具で構成されるものになっている。
そのため、シート状物などを抜き差しする際に、そのたびごとに留め具を開閉して抜き差ししなければならないので、抜き差しが面倒なものになっている。
【０００４】
また、シート状物類やカード類を簡単に抜き差し挟持する手段として、例えば特許文献（２）に記載された「押え具」や、特許文献（３）に記載された「店舗用カード保持具」や、特許文献（４）に記載された「ファイルクリップ」などの提案がある。
しかし、これらの提案については、差し込んだ１枚または少数枚のメモやカードなどの端部をずれ落ちないように挟持できる手段だけのものであり、シート状物などの物品類を数十枚まで任意の枚数で抜き差し自在に差立て挟持することや、また、数十ミリまでの厚さの物品類を任意の厚さで抜き差し自在に差立て挟持することなどができず、支持することも困難なものになっている。また、抜き差し自在に差立て支持できるＯＡ原稿台のスタンド型などとして利用することなども困難なものになっている。
【０００５】
また、シート状物類などの物品類の差立て支持具において最も必要な要件としては、１枚単位の抜き差しに当たって、差立て枠の差込みスペース内において任意の枚数や任意の厚さで、軟らかくしなやかな反発復元力により、抜き差し挟持が手軽にでき、倒れやずれ落ちのないように的確に支持できることなどの要件が挙げられる。
しかし、前記の特許文献のものについては、メモシートやカード類の端部を単に抜き差し挟持するだけの機能と目的のものであるので、本発明の物品類の差立て支持具に利用することは困難なものになっている。
【０００６】
【特許文献１】実用新案登録第３０７５０４６号
【特許文献２】特開平７−２０５５７９
【特許文献３】特開平１０−１７７３４７
【特許文献４】特開２０００−４３４６３
【発明の開示】
【発明が解決しようとする課題】
【０００７】
上述したような欠点を解消するために、本発明の物品類の差立て支持具においては、圧力部材３の軟らかくしなやかな凹み変形とその凹みによる軟らかくしなやかな反発復元力がスペース枠２の両側に向かって押圧することにより、前記スペース枠２の内側面と前記圧力部材３との間の隙間に差し込んだ物品類４を挟持し、差立て支持することができるようにする。
そしてこれにより、シート状物などの物品類４をスペース枠２の開き幅内で数十枚まで任意の枚数でしなやかに抜き差し自在に差立て支持することができるようにし、また、数十ミリまでの厚さの物品類４を任意の厚さで抜き差し自在に差立て支持することができるようにすることを主なる目的とする。
【０００８】
そして、本発明の差立て支持具の台座に取付け手段を備えて、シート状物類や掲示物などの物品類４の差立て支持が、例えば机上などの面上や、建物内の壁面や一般用品の面上など、どこでも簡単に、スペース枠２の開き幅内で数十枚まで任意の枚数で、または、数十ミリまで任意の厚さで、抜き差し自在に挟持し差立て支持することができるようにすることを目的とする。
【０００９】
また、従来の商品のＯＡ原稿台の卓上スタンド型などにおいて、用紙の差込み挟持および抜き取りが簡単にできるようにし、そして、用紙の抜き差しの際に、そのたびにクリップなどの留め具を開閉して用紙の差込み挟持および抜き取りをしなければならないことなどの面倒な欠点を解消した卓上スタンド型のＯＡ原稿台なども提供することができることを目的とする。
【課題を解決するための手段】
【００１０】
上述の課題を解決するために本発明においては、台座１と、該台座１の面上に一対の板材で開き幅をもって形成したスペース枠２と、該スペース枠２内に変形可能な弾発力のある部材で中空状に形成されて収められ、その反発復元力が前記スペース枠２の両側に向かって押圧する圧力部材３と、から成り、
前記スペース枠２に長さ延長材７を備え、前記スペース枠２の内側面と前記圧力部材３との間の隙間に差し込んだ物品類４を抜き差しすることを特徴とする物品類の差立て支持具を構成する。
【００１１】
また、台座１の裏面側に取付け手段１ａを設け、その台座１の面上に沿ってスペース枠２を平行に備えたことを特徴とする請求項１に記載の物品類の差立て支持具を構成する。
【００１２】
また、圧力部材３の一部３a側をスペース枠２内の奥側に連結留め材５で固定したことを特徴とする請求項１乃至請求項２いずれかに記載の物品類の差立て支持具を構成する。
【００１３】
また、圧力部材３の一部３a側を切り落して略Ｕ字形の湾曲断面とし、その切り落した側をスペース枠２内の奥側に連結留め材５で固定したことを特徴とする請求項１乃至請求項３いずれかに記載の物品類の差立て支持具を構成する。
【００１４】
また、スペース枠２と台座１との間に、前記スペース枠２の下端部を支点として回動可能に連結する回動連結部６を形成したことを特徴とする請求項１乃至請求項４いずれかに記載の物品類の差立て支持具を構成する。
【００１６】
また、裏面側に取付け手段８ｂを備えた立面取付け板８の面上にスライドガイド８ａを形成し、請求項１乃至請求項４いずれかに記載の物品類の差立て支持具をスライド可能に備えたことを特徴とする物品類の差立て支持具を構成する。
【発明の効果】
【００１７】
本発明の物品類の差立て支持具は、図１および図９図１０に示すように、シート状物などの物品類４をスペース枠２の内面と圧力部材３の外面との間の隙間に差し込むと、圧力部材３の軟らかくしなやかな反発復元力がスペース枠２の内面に向かって押圧し、その押圧による凹み寸法Ｌ２Ａが最小０ミリほどになるまで自在に凹みが調整されることにより、例えば、常時頻繁に出し入れを繰り返しする帳票シート類などの物品類をスペース枠２の開き幅内で数十枚まで任意の枚数で抜き差し自在に差立て支持ができ、また、数十ミリまでの厚さの物品類４を任意の厚さで抜き差し自在に差立て支持ができる。
そして、これにより、業務の能率や整理整頓やスペースの有効活用などの向上促進ができる。
【００１８】
そして、台座１やスペース枠２や圧力部材３の寸法を用途に合わせて大きく頑丈で安定したものにすることや、また、台座１に面上に複数のスペース枠２と圧力部材３による連立の差立て挟持部を設けることにより、例えば机上で分厚い綴じ込み書類や、分厚いカタログ類や、ファイルなどの物品類４においても、物品類４の厚さに見合った寸法で的確に差立て挟持が簡単にできる。
そして、これにより、従来の本立て型に類する差立て支持具では、例えば、帳票類やパンフレットやカタログなどのシート状物等の物品類を差立てした際に、差立て仕切り枠の間隔が空き過ぎていると差立て物が倒れ込んでしまうことなどの問題についても、物品類の抜き差しのたびごとに、圧力部材３の軟らかくしなやかな反発復元力により自動的に自在に凹みが調整されることにより解消できるものになっている。
そして、これにより、業務の能率や整理整頓やスペースの有効活用などの向上促進ができる。
【００１９】
また、本発明の物品類の差立て支持具は、図２に示すように、取付け手段を備えた台座１に沿ってスペース枠２を平行に備えたことにより、例えば建物内の壁面や一般用品の側面などの立面のどこにでも簡単に手軽に取付けすることができる。
そして、常時頻繁に出し入れを繰り返しする物品類４の取り出し及び戻し収納が、どこにでも簡単にできる。
そして、これにより、業務の能率や整理整頓やスペースの有効活用などの向上促進ができる。
【００２０】
また、本発明の物品類の差立て支持具は、図６に示すように、裏面側に取付け手段を備えた立面取付け板８の面上にスライドガイド８ａを形成し、ここに本発明の物品類の差立て支持具をスライド可能に備えたことにより、例えば、大判の帳票類や、予定表や、グラフや、図面や、ポスターや、パンフレットなどの掲示シート状物類４を見易い場所に抜き差し自在にどこにでも簡単に差立て支持ができる。
そして、常時頻繁に出し入れを繰り返しする物品類４の取り出し及び戻し収納が、どこにでも簡単にできる。
そして、これにより、業務の能率や整理整頓やスペースの有効活用などの向上促進ができる。
【００２１】
また、本発明の物品類の差立て支持具は、図４に示すように、スペース枠２に回動手段を形成して、例えばＡ４判などの大きめのシート状物など種々のサイズのシート状物を差立て支持する際に、差立てするシート状物の下端部を平面上に下ろして安定した差立て支持ができる。また、例えばＡ４判などの大きめのシート状物など種々のサイズのシート状物を折れ曲がって倒れこみを生じることなく簡単に差立て支持ができる。
【００２２】
また、本発明の物品類の差立て支持具は、図１および図９に示すように、差立てするシート状物などの物品４をスペース枠２内の圧力部材３の手前側と背面側の２面で差込み保持ができることにより、例えば、手前側に予定や未処理のもの、また、背面側に完了や処理済みなどのものを差立てすることなどの便利な使い方ができる。
【００２３】
また、本発明の物品類の差立て支持具は、図４に示すように、長さ延長材７を備えたことにより、例えばＡ４判などの大きめのシート状物など種々のサイズのシート状物を折れ曲がって倒れこみを生じることなく的確に差立て支持ができる。
【００２４】
また、本発明の物品類の差立て支持具は、図９および図１０に示すように、大きな膨らみ部をもつ圧力部材３の軟らかくしなやかな凹み変形により、Ｌ２ａの凹み寸法が最小０ミリほどになるまで自在に大きく凹み調整ができる。これにより、数十枚の差込みの中間のページ間での差込み空間をつくって中間のページ間での抜き差しが自在に簡単にできる。
【００２５】
また、ＯＡ原稿台のスタンドなどの支持具の挟持手段においても、クリップ等を用いることなく用紙の抜き差しが簡単にできる。そしてこれにより、用紙の抜き差しの際にそのたびにクリップ等を開閉して用紙の抜き差しをしなければならないことなどの問題を解消できる
【００２６】
また、本発明の物品類の差立て支持具は、図１０に示すように、大きな膨らみ部をもつ圧力部材３の軟らかくしなやかな凹み変形により、例えば厚さがＬ４の寸法内に収まる厚さ１ミリから数十ミリほどの任意の厚さの物品類４を抜き差し自在に差立て支持することができる。
そして例えば、生産工程の作業場などにおいて、常時頻繁に出し入れして繰り返し作業する際に、シート状物類と同様の要領で、小物物品類などの物品類４の取り出し及び戻し収納が抜き差し自在に手元で簡単にできる物品類の差立て支持具しても利用できる。
そして、これにより、作業の能率や整理整頓やスペースの有効活用などの向上促進ができる。
【発明を実施するための最良の形態】
【００２７】
先ず、本発明の物品類の差立て支持具の構成について、図に基づいて説明する。
本発明の物品類の差立て支持具は、図１および図３から図５に示すように、台座１と、その台座１の面上に一対の板材で開き幅をもって形成したスペース枠２と、そのスペース枠２内に変形可能な弾発力のある部材で中空状に形成されて収められ、その反発復元力が前記スペース枠２の両側に向かって押圧する圧力部材３と、から成り、前記スペース枠２の内側面と前記圧力部材３との間の隙間に差し込んだ物品類４を抜き差し自在に差立て支持することができる物品類の差立て支持具を構成するものとしている。
【００２８】
また、本発明の物品類の差立て支持具は、図２に示すように、台座１の裏面側に取付け手段１ａを設け、その台座１の面上に沿ってスペース枠２を平行に備えたことにより、例えば壁面などの立面においても抜き差し自在に差立て支持することができる物品類の差立て支持具を構成するものとしている。
【００２９】
また、本発明の物品類の差立て支持具は、図３から図５に示すように、スペース枠２と台座１との間に、前記スペース枠２の下端部を支点として回動可能に連結する回動連結部６を形成したことにより、例えばＯＡ原稿台のスタンド型などとしても利用できる物品類の差立て支持具を構成するものとしている。
【００３０】
また、本発明の物品類の差立て支持具は、図６に示すように、裏面側に取付け手段８ｂを備えた立面取付け板８の面上にスライドガイド８ａを形成し、請求項１乃至請求項４いずれかに記載の物品類の差立て支持具をスライド可能に備えたことにより、例えば大判の帳票類や、予定表や、グラフや、図面や、ポスターや、パンフレットなどの掲示シート状物類４を見易い場所に抜き差し自在にどこにでも簡単に差立て支持ができる物品類の差立て支持具を構成するものとしている。
【００３１】
また、本発明の物品類の差立て支持具は、台座１やスペース枠２や圧力部材３の寸法を用途に合わせて大きく頑丈で安定したものにすることや、また、台座１に面上に複数のスペース枠２と圧力部材３による連立の差立て挟持部を設けることにより、例えば机上で分厚い綴じ込み書類や、分厚いカタログ類や、ファイルなどの物品類４においても、また、厚めの板材による物品類や小物物品類などの物品類４の厚さに見合った寸法で的確に差立て挟持が簡単にできる本立て型に類する差立て支持具を構成するものとしている。
【００３２】
つぎに、本発明のシート状物類の差立て支持具の各構成材について、図に基づいて説明する。
台座１は、図１に示すように、特に限定されるものではないが、樹脂製または金属製の平板構造のものとしている。
そして、図３から図５に示すように、種々の場所の平面上に安定して置く使い方をするものなどについては重み付きの安定台座としている。
また、例えば建物内の壁面や一般用品の側面などの立面に取付けする使い方をするものなどについては、図２に示すように、前記台座１の裏面側に、例えば、マグネット、粘着両面テープ、吸盤、ビス止め、などによる取付け手段１ａを備えるものとしている。
【００３３】
また、スペース枠２は、図１および図９に示すように、特に限定されるものではないが、材質は樹脂製または金属製で、形状は例えば略細長コの字形を主とする枠材で、寸法は圧力部材３を収める開き寸法と奥行き寸法をもつものとしている。
そして、スペース枠２の開口部側は、シート状物を差し込み易いように先端部を外側に少し折り曲げたものが好ましい。
そして、板厚は２ミリから５ミリほどのものが好ましい。また、深さ寸法は５０ミリから１００ミリほどのものが好ましい。また、幅寸法は２０ミリから３０ミリほどのものが好ましい。
また、分厚い綴じ込み書類や、分厚いカタログ類や、ファイルなどを差し立て保持するものについては、圧力部材３と合わせて必要な大きさの寸法と強度を備えた大型サイズのものとしている。
【００３４】
また、圧力部材３は、図７および図８、および、図９および図１０に示すように、スペース枠２内に変形可能な弾発力のある部材で中空状に形成されて収められ、その反発復元力が前記スペース枠２の両側に向かって押圧することによって、前記スペース枠２の内側面と前記圧力部材３との間の隙間に差し込んだ物品類４を抜き差し自在に挟持することができるものとしている。
そして、図９および図１０に示すように、その反発復元力による押さえ付けにより、スペース枠２内に差し込まれた物品類４の枚数および厚みに任意に対応して、的確に挟持し差立て支持ができるものとしている。
【００３５】
また、圧力部材３の湾曲部の弾発力および反発復元力は、図７から図８および図９から図１０に示すように、指先で軽く押し付けすると“ふにゃっ”と軟らかくしなやかに任意の凹み寸法で凹み変形ができるものとしている。
そして、例えばＬ1の膨らみ寸法５０ミリほどからスペース枠２内の３０ミリほどのＬ２の開き寸法に凹まされて収められた湾曲膨らみ部が、その凹みによるしなやかな反発復元力でスペース枠２の内面全面を押圧することによって、差立てするシート状物１枚単位で自在にしなやかな挟持ができるものとしている。
そして、例えばコピー用紙１枚程度の厚さと硬さのシート状物を指先で持って軽く差し込むだけで、１枚ごとの差し込み厚さに対応してしなやかに凹み変形し、差立てするシート状物１枚単位で自在に挟持ができるものとしている。
【００３６】
そして、図９から図１０に示すように、スペース枠２の内面と圧力部材３の外側面との間に差し込まれたシート状物の１枚ごとの厚みに対応して、Ｌ３およびＬ４の２面においての凹み寸法が自在に凹み調整できるものとしている。
そして、Ｌ２Ａの凹み寸法が最小０ミリほどになるまで２面で数十枚のシート状物を自在にしなやかに差立て支持ができるものとしている。
【００３７】
そして、帳票や、パンフレットや、カタログなどのシート状物の１枚ごとの差込みの厚みに対応して、湾曲部のしなやかな反発復元力で押し付けすることと、しなやかに全面押し付けする面状接触により、シート状物の１枚ごとの抜き差しおよび差立て支持がスペース枠２の開き幅内で数十枚まで任意の枚数できるものとしている。
また、物品類を数十ミリまで任意の厚さで抜き差し自在に差立て支持することができるものとしている。
【００３８】
また、圧力部材３の材質は、特に限定されるものではないが、樹脂製のものは、弾発力のあるそして熱可塑性樹脂の代表的な樹脂材であるポリエチレンやポリプロピレンや塩化ビニル樹脂などが考えられる。また、金属製のものは、弾発力のあるステンレス材などが好ましい。
【００３９】
また、圧力部材３のサイズは、特に限定されるものではないが、例えば長手方向の寸法は、５０ミリから１００ミリほどで、幅寸法は、スペース枠２の幅寸法に準じて３０ミリから５０ミリほどで、湾曲断面の膨らみ間の寸法は３０ミリから５０ミリほどのものが好ましい。また、分厚い綴じ込み書類や、分厚いカタログ類や、ファイルなどを差し立て保持するものについては、スペース枠２と合わせて必要な大きさの寸法と強度を備えた大型サイズのものとしている。
【００４０】
また、圧力部材３の形状については、特に限定されるものではないが、例えば図７に示すように、例えば楕円形型の圧力部材３のほかに、図８に示すように、圧力部材３の一部３a側の一部を切落して略Ｕ字形の湾曲断面とし、その切落した側を前記スペース枠２内の奥側に前記連結留め材５で固定してシート状物類の差立て支持具を構成するものとしている。
【００４１】
また、スペース枠２内の奥側に圧力部材３を固定する連結留め材５については、図９に示すように、特に限定されるものではないが、例えば接着剤による固着やビス止めによる固着や圧着などが好ましい。
【００４２】
また、スペース枠２の下端部を支点として台座１の面上で回動可能に連結する回動連結部６については、図４に示すように、特に限定されるものではないが、例えば材質は樹脂製または金属製で、構造は回動角度調整自在のヒンジ構造のものが好ましい。
【００４３】
また、スペース枠２の背面側に長さ延長手段を形成した長さ延長材７については、図４に示すように、特に限定されるものではないが、例えば材質は樹脂製または金属製で、構造は引き出し寸法調整自在のスライド構造または回動角度調整自在のヒンジ構造のものが好ましい。
【００４４】
また、立面取付け板８については、図６に示すように、特に限定されるものではないが、例えば材質は樹脂製または金属製で、構造は細長平板のものが好ましい。そして、裏面の取付け手段８ｂは、マグネット、粘着両面テープ、吸盤、ビス止め、吊下げ紐、吊下げフック、などによるものとしている。
【００４５】
また、スライドガイド（８ａ）については、図６に示すように、特に限定されるものではないが、例えば材質は樹脂製または金属製で、構造は一対の細長のＬ形構造のものやコノ字型構造のものが好ましい。
そして、立面取付け板８の面上に請求項１乃至請求項４いずれかに記載の物品類の差立て支持具が任意の位置にスライド可能に固着するものとしている。
【産業上の利用可能性】
【００４６】
本発明の物品類の差立て支持具は、図９および図１０に示すように、平面上で厚さ数十ミリまでの任意の厚さの物品類４を前後２面でしなやかに抜き差し自在に差立て支持ができるシート状物類の差立て支持具として利用できるものとしている。
そして、常時頻繁に出し入れを繰り返しする物品類４の取り出し及び戻し収納が、どこにでも簡単にできるものとしている。
【００４７】
また、本発明の物品類の差立て支持具は、図２に示すように、立面上においても同様の差立て支持具として利用できるものとしている。
そして、常時頻繁に出し入れを繰り返しする物品類４の取り出し及び戻し収納が、どこでも簡単にできるものとしている。
【００４８】
また、本発明の物品類の差立て支持具は、図３から図５に示すように、スペース枠２の下端部に回動手段を備えたことにより、ＯＡ原稿台のスタンド型などとしても利用できるものとしている。
【００４９】
また、本発明の物品類の差立て支持具は、図６に示すように、物品類の差立て支持具を立面取付け板８にスライド可能に備えたことにより、例えば建物内の壁面や一般用品の側面などの立面に取付けすることできるものとしている。そして、例えば、大判の帳票類や、予定表や、パンフレットなどの掲示シート状物類を見易い場所に抜き差し自在にどこにでも簡単に差立て支持ができるものとしている。
そして、これにより、業務の能率や整理整頓やスペースの有効活用などの向上促進ができるものとしている。
【００５０】
また、本発明の物品類の差立て支持具は、図１から図６に示すような構成部材について、必要な寸法と強度を備えることにより、例えば、作業場などにおいて、常時頻繁に出し入れして繰り返し作業する際に、シート状物類と同様の要領で、小物物品類などの取り出し及び戻し収納が抜き差し自在に手元で簡単にできる物品類の差立て支持具しても利用できるものとしている。
そして、これにより、作業の能率や整理整頓やスペースの有効活用などの向上促進ができるものとしている。
【図面の簡単な説明】
【００５１】
【図１】（Ａ）本発明の台座付きの物品類の差立て支持具において、複数枚のシート状物などの物品類４をスペース枠２内の圧力部材３の手前側と背面側の２面で差込み支持した状態の斜視図。          （Ｂ）本発明の台座付きの物品類の差立て支持具において、分厚い物品類４をスペース枠２内の圧力部材３の手前側の面で差込み支持した状態の斜視図。
【図２】（Ａ）  スペース枠２を台座に沿って平行に備えた本発明の物品類の差立て支持具において、複数枚のシート状物などの物品類４をスペース枠２内の圧力部材３の手前側と背面側の２面で差込み支持した状態の斜視図。          （Ｂ）  スペース枠２を台座に沿って平行に備えた本発明の物品類の差立て支持具において、分厚い物品類４をスペース枠２内の圧力部材３の手前側の面で差込み支持した状態の斜視図。
【図３】本発明の台座付きの物品類の差立て支持具において、回動連結部６と長さ延  長材７を備えて、ＯＡ原稿台のスタンド型などとしても利用できる状態の斜視図。
【図４】本発明の台座付きの物品類の差立て支持具の回動連結部６により、シート状物などの物品類４の下部を平面上に下げて安定支持した状態の斜視図。
【図５】本発明の台座付きの物品類の差立て支持具の回動連結部６をさらに回動して、物品類４の下部を平面上に下げ安定支持した状態の斜視図。
【図６】立面取付け板８に物品類の差立て支持具をスライド可能に備えた状態の斜視図。
【図７】（Ａ）  圧力部材３がスペース枠２内に収まる前のＬ１の膨らみ寸法をもつ状態の斜視図。          （Ｂ）  圧力部材３がスペース枠２内にＬ２の膨らみ寸法に凹まされて収まり反発復元力が作用する状態の斜視図。
【図８】（Ａ）  図７の（Ａ）において、圧力部材３の一部３a側を切落して略Ｕ字形の湾曲断面とした圧力部材３の斜視図。          （Ｂ）  圧力部材３がスペース枠２内にＬ２の膨らみ寸法に凹まされて収まり反発復元力が作用する状態の斜視図。
【図９】本発明の物品類の差立て支持具において、複数枚のシート状物などの物品類４をスペース枠２内の圧力部材３の手前側と背面側の２面で差込み支持した状態の要部詳細斜視図。
【図１０】本発明の物品類の差立て支持具において、分厚い物品類４をスペース枠２内の圧力部材３の手前側の面で差込み支持した状態の要部詳細斜視図。
【図１１】（Ａ）  従来のＯＡ原稿台の一例の「ＯＡ原稿台の卓上スタンド型」の斜視図。            （Ｂ）  従来のＯＡ原稿台の一例の「スタンド式用紙ホルダー」の斜視図。
【符号の説明】
【００５２】
１  台座
１ａ  台座の裏面側の取付け手段
２  スペース枠
３  圧力部材
３ａ  圧力部材の一部
４  物品類
５  連結留め材
６  回動連結部
７  長さ延長材
８  立面取付け板
８ａ  スライドガイド
８ｂ  裏面側の取付け手段
Ｌ１  圧力部材３がスペース枠２内に収まる前の膨らみ寸法
Ｌ２  圧力部材３がスペース枠２内に凹まされて収まった際の膨らみ寸法
Ｌ２Ａ  圧力部材３がスペース枠２内で物品類の差込みにより凹んだ膨らみ寸法
Ｌ３  差し込んだ物品の厚み寸法および凹み寸法
Ｌ４  差し込んだ物品の厚み寸法および凹み寸法
Ｓ  従来商品のＯＡ原稿台のスタンド
【要約】
【課題】
本発明は、スペース枠２の開き幅内でシート状物などの物品類を数十枚まで任意の枚数で抜き差し自在に差立て支持ができ、また、数十ミリまでの厚さの物品類を任意の厚さで抜き差し自在に差立て支持ができ、また、ＯＡ原稿台のスタンド型などとしても利用できる物品類の差立て支持具を提供する。
【解決手段】
台座１の面上に一対の板材で開き幅をもって形成したスペース枠２と、該スペース枠２内に変形可能な弾発力のある部材で中空状に形成されて収められ、その反発復元力が前記スペース枠２の両側に向かって押圧する圧力部材３と、から成り、前記スペース枠２の内側面と前記圧力部材３との間の隙間に差し込んだ物品類４を抜き差しすることを特徴とする物品類の差立て支持具を構成する。
【選択図】  図４【図１】
0004296576.tif 000002
【図２】
0004296576.tif 000003
【図３】
0004296576.tif 000004
【図４】
0004296576.tif 000005
【図５】
0004296576.tif 000006
【図６】
0004296576.tif 000007
【図７】
0004296576.tif 000008
【図８】
0004296576.tif 000009
【図９】
0004296576.tif 000010
【図１０】
0004296576.tif 000011
【図１１】
0004296576.tif 000012